(57)【要約】【課題】鍵の表示部における施解錠状態の表示が誤ったものとなる虞があった。【解決手段】キー装置は、錠を施解錠するキー部分と、錠に対する操作を検知する検知部と、錠との間で情報を送受信する送受信部と、検知部が操作を検知したことを条件に、錠が施錠されているか解錠されているかを示す情報である施解錠情報を、送受信部を介して受信して格納する格納部とを備える。検知部は、操作によって移動する移動体を有し、検知部は、移動体の移動を検知することによって、操作を検知する。キー装置は、格納部に格納されている施解錠情報を表示する表示部を更に備える。格納部は、複数の錠の施解錠情報を格納する。格納部は、送受信部が施解錠情報を受信する度に、格納してある施解錠情報を更新する。【選択図】図６
2019206890.tif 000002
【特許請求の範囲】
【請求項１】
錠を施解錠するキー部分と、
前記錠に対する操作を検知する検知部と、
前記錠との間で情報を送受信する送受信部と、
前記検知部が前記操作を検知したことを条件に、前記錠が施錠されているか解錠されているかを示す情報である施解錠情報を、前記送受信部を介して受信して格納する格納部と
を備えるキー装置。
【請求項２】
前記検知部は、前記操作によって移動する移動体を有し、
前記検知部は、前記移動体の移動を検知することによって、前記操作を検知する、
請求項１に記載のキー装置。
【請求項３】
前記格納部に格納されている前記施解錠情報を表示する表示部
を更に備える、請求項１または２に記載のキー装置。
【請求項４】
前記格納部は、複数の前記錠の前記施解錠情報を格納する、
請求項１から３の何れか一項に記載のキー装置。
【請求項５】
前記格納部は、前記送受信部が前記施解錠情報を受信する度に、格納してある前記施解錠情報を更新する、
請求項１から４の何れか一項に記載のキー装置。
【請求項６】
キー装置により施解錠される錠と、
前記錠の施解錠の状態を検知する錠検知部と、
前記キー装置による、前記錠に対する操作を検知する操作検知部と、
前記操作検知部が前記操作を検知したことを条件に、前記錠検知部により検知された、前記錠が施錠されているか解錠されているかを示す情報である施解錠情報を前記キー装置に送信する送信部と
を備える錠装置。
【請求項７】
前記操作検知部は、前記操作によって移動する移動体を有し、
前記操作検知部は、前記移動体の移動を検知することによって、前記操作を検知する、
請求項６に記載の錠装置。
【請求項８】
前記移動体は、鍵が前記錠装置に挿入されるときに予め定められた方向へ動作する部材、および、前記鍵が前記錠装置に挿入されて回転するときに、前記錠装置の回転に連動して、予め定められた方向に動作する部材の少なくとも一方を含む、
請求項７に記載の錠装置。
【請求項９】
錠装置と、前記錠装置を施解錠するためのキー装置とを備えるシステムであって、
前記キー装置は、
前記錠装置の錠を施解錠するキー部分と、
前記錠に対す操作を検知する検知部と、
前記錠装置との間で情報を送受信する送受信部と、
前記検知部が前記操作を検知したことを条件に、前記錠が施錠されているか解錠されているかを示す情報である施解錠情報を、前記送受信部を介して受信して格納する格納部と
を有し、
前記錠装置は、
前記キー装置により施解錠される前記錠と、
前記錠の施解錠の状態を検知する錠検知部と、
前記錠検知部により検知された前記施解錠情報を前記キー装置に送信する送受信部と
を有する、システム。
【請求項１０】
錠装置と、前記錠装置を施解錠するためのキー装置とを備えるシステムであって、
前記錠装置は、
前記キー装置により施解錠される錠と、
前記錠の施解錠の状態を検知する錠検知部と、
前記キー装置による、前記錠に対する操作を検知する操作検知部と、
前記操作検知部が前記操作を検知したことを条件に、前記錠検知部により検知された、前記錠が施錠されているか解錠されているかを示す情報である施解錠情報を前記キー装置に送信する送信部と
を有し、
前記キー装置は、
前記錠を施解錠するキー部分と、
前記錠装置の前記送信部から前記施解錠情報を受信する受信部と、
前記受信部を介して前記錠装置から受信した前記施解錠情報を格納する格納部と
を有する、システム。
【発明の詳細な説明】
【技術分野】
【０００１】
本発明は、キー装置、錠装置およびシステムに関する。
【背景技術】
【０００２】
鍵に表示部を設けて、施解錠状態を表示させる施解錠確認装置が知られている（例えば、特許文献１参照）。当該施解錠確認装置において、シリンダ錠には、鍵の回動範囲内の異なる位置に施錠エリアおよび解錠エリアが設けられている。シリンダ錠の鍵穴に差し込まれた鍵が回転したことをトリガとして、鍵を施錠エリア側に回動したか解錠エリア側に回動したかに応じて異なる電圧又はパルスの状態信号が電磁誘導により発生し、鍵に送信される。
［先行技術文献］
［特許文献］
［特許文献１］特開２００９−１０８６２１号公報
【発明の概要】
【発明が解決しようとする課題】
【０００３】
シリンダ錠を扉に組み込むときには、扉が左開きであるか右開きであるかの違いや、シリンダ錠とデッドボルトとの位置関係などに応じて、時計回りで施錠となるシリンダ錠が用いられたり、反時計回りで施錠となるシリンダ錠が用いられたりする。よって、上記施解錠確認装置においては、各エリアの位置とシリンダ錠の実際の施解錠の回動方向とが一致しない状態でシリンダ錠が扉に組み込まれると、鍵の表示部における施解錠状態の表示が誤ったものとなるという不具合がある。
【課題を解決するための手段】
【０００４】
本発明の一態様においては、錠を施解錠するキー部分と、錠に対する操作を検知する検知部と、錠との間で情報を送受信する送受信部と、検知部が操作を検知したことを条件に、錠が施錠されているか解錠されているかを示す情報である施解錠情報を、送受信部を介して受信して格納する格納部とを備えるキー装置を提供する。
【０００５】
本発明の一態様においては、キー装置により施解錠される錠と、錠の施解錠の状態を検知する錠検知部と、キー装置による、錠に対する操作を検知する操作検知部と、操作検知部が操作を検知したことを条件に、錠検知部により検知された、錠が施錠されているか解錠されているかを示す情報である施解錠情報をキー装置に送信する送信部とを備える錠装置を提供する。
【０００６】
本発明の一態様においては、錠装置と、錠装置を施解錠するためのキー装置とを備えるシステムであって、キー装置は、錠装置の錠を施解錠するキー部分と、錠に対する操作を検知する検知部と、錠装置との間で情報を送受信する送受信部と、検知部が操作を検知したことを条件に、錠が施錠されているか解錠されているかを示す情報である施解錠情報を、送受信部を介して受信して格納する格納部とを有し、錠装置は、キー装置により施解錠される錠と、錠の施解錠の状態を検知する錠検知部と、錠検知部により検知された施解錠情報をキー装置に送信する送受信部とを有する、システムを提供する。
【０００７】
本発明の一態様においては、錠装置と、錠装置を施解錠するためのキー装置とを備えるシステムであって、錠装置は、キー装置により施解錠される錠と、錠の施解錠の状態を検知する錠検知部と、キー装置による、錠に対する操作を検知する操作検知部と、操作検知部が操作を検知したことを条件に、錠検知部により検知された、錠が施錠されているか解錠されているかを示す情報である施解錠情報をキー装置に送信する送信部とを有し、キー装置は、錠を施解錠するキー部分と、錠装置の送信部から施解錠情報を受信する受信部と、受信部を介して錠装置から受信した施解錠情報を格納する格納部とを有する、システムを提供する。
【０００８】
上記の発明の概要は、本発明の必要な特徴の全てを列挙したものではない。これらの特徴群のサブコンビネーションもまた発明となり得る。
【図面の簡単な説明】
【０００９】
【図１】第１実施形態による、システム１０の模式図である。
【図２】第１実施形態による、住居１５の扉２０に設けられた上側電気錠１１０の模式図である。
【図３】第１実施形態による、住居１５の扉２０に設けられた下側電気錠１５０の模式図である。
【図４】第１実施形態による、キー装置３０の模式図である。
【図５】第１実施形態による、キー装置３０のブロック図である。
【図６】第１実施形態による、キー装置３０が上側電気錠１１０から施解錠情報を取得するフロー図である。
【図７】第２実施形態による、上側電気錠１１０のシリンダ１１８に配された操作検知部１１５の模式図である。
【図８】第２実施形態による、上側電気錠１１０がキー装置３０に施解錠情報を送信するフロー図である。
【図９】第３実施形態による、上側電気錠１１０がキー装置３０に施解錠情報を送信するフロー図である。
【図１０】第４実施形態による、錠装置１００の格納部１３６およびキー装置３０の格納部４１のそれぞれに格納されているテーブルを説明する図である。
【発明を実施するための形態】
【００１０】
以下、発明の実施の形態を通じて本発明を説明する。下記の実施形態は特許請求の範囲にかかる発明を限定するものではない。また、実施形態の中で説明されている特徴の組み合わせの全てが発明の解決手段に必須であるとは限らない。
【００１１】
図１は、第１実施形態による、システム１０の模式図である。システム１０は、住居１５の内側１７と外側１６とを仕切る玄関の扉２０に設けられて扉２０を電気的に施解錠する錠装置１００と、住居１５の内側１７における例えばキッチンといった離れた部屋に設けられる操作盤５０と、錠装置１００を施解錠するためのキー装置３０とを備える。システム１０は、ユーザ１２による扉２０の錠装置１００の閉め忘れを防止するためのシステムである。ここで、「施解錠」は、施錠のみ、解錠のみ、ならびに、施錠および解錠の両方、のいずれかであってよい。なお、システム１０は、操作盤５０を備えなくてもよい。
【００１２】
ユーザ１２は、例えば住居１５の住人である。キー装置３０は、ユーザ１２が住居１５から外出する場合に、ユーザ１２によって携帯される。キー装置３０は、近距離無線通信により、錠装置１００とデータ通信する。近距離無線通信規格として、例えばＢＬＥ（Ｂｌｕｅｔｏｏｔｈ（登録商標）  Ｌｏｗ  Ｅｎｅｒｇｙ）、Ｚｉｇｂｅｅ（登録商標）、ＮＦＣ（Ｎｅａｒ  Ｆｉｅｌｄ  Ｃｏｍｍｕｎｉｃａｔｉｏｎ）などを用いてもよい。ＮＦＣとして、電磁誘導式のＦｅｌｉＣａ（登録商標）を用いてもよい。
【００１３】
錠装置１００は、扉２０のハンドル２２よりも上側に位置する上側電気錠１１０と、ハンドル２２よりも下側に位置する下側電気錠１５０とを備える。錠装置１００は、ユーザ１２が扉２０の外側１６から鍵穴にキー装置３０を挿入して回転することにより、施解錠される。また、錠装置１００は、ユーザ１２が扉２０の内側１７からサムターンを把持して回転することにより、施解錠される。
【００１４】
錠装置１００は、Ｗｉ−Ｆｉ（登録商標）などを用いた無線ＬＡＮにより、操作盤５０とデータ通信する。操作盤５０は、上側電気錠１１０を施解錠するための施解錠ボタンを有してもよく、ユーザ１２は、当該施解錠ボタンを操作することによって、扉２０を施解錠してもよい。なお、錠装置１００は、有線通信により、操作盤５０とデータ通信してもよい。
【００１５】
図２は、第１実施形態による、住居１５の扉２０に設けられた上側電気錠１１０の模式図である。図２は、図１において破線で示された円Ａの部分を拡大した図に対応する。
【００１６】
上側電気錠１１０は、扉２０の内側１７の面上に設けられる構成として、中空の内筐体１２４と、内筐体１２４の外面に取り付けられたサムターン１１６と、内筐体１２４の内部に収容された制御部１１２、タイマ１３３、格納部１３６、電源１３２および残量計測部１３４とを備える。サムターン１１６、タイマ１３３、格納部１３６、電源１３２および残量計測部１３４は何れも、制御部１１２に有線接続されている。なお、上側電気錠１１０は、残量計測部１３４を備えなくてもよい。
【００１７】
上側電気錠１１０は更に、扉２０の内部に設けられる構成として、デッドボルト１２０と、デッドボルト１２０を一方向に進退させるように駆動するアクチュエータ１２８と、デッドボルト１２０の進退方向における位置を検出する位置検出部１３８と、扉２０における開扉および閉扉を検出する開閉検出部１４０とを備える。アクチュエータ１２８、位置検出部１３８、および、開閉検出部１４０は何れも、制御部１１２に有線接続されている。アクチュエータ１２８は、例えば電気式モータやソレノイドである。なお、上側電気錠１１０は、開閉検出部１４０を備えなくてもよい。
【００１８】
上側電気錠１１０は更に、扉２０の外側１６の面上に設けられる構成として、中空の外筐体１２６と、シリンダ１１８と、外筐体１２６の内部に収容された通信部１１３および音声出力部１３０とを備える。シリンダ１１８、通信部１１３および音声出力部１３０は、制御部１１２に有線接続されている。音声出力部１３０は、電気信号を物理振動に変えて、音楽や音声などの音を生み出すスピーカを有する。なお、上側電気錠１１０は、音声出力部１３０を備えなくてもよい。なお、上側電気錠１１０は更に、予期せずに電源１３２の電池残量が無くなってしまった場合に外部から給電するための非常用電源端子部が設けられてもよい。
【００１９】
電源１３２は、例えばリチウム電池であり、上側電気錠１１０の全体に電力を供給する。電源１３２によって、例えば約２年程度の期間にわたる上側電気錠１１０の継続使用が可能になる。例えば電源１３２の電源残量が予め定められた閾値よりも少なくなった場合に、電源１３２はユーザ１２によって交換される。電源１３２は、外部電源から無線又は有線により給電されて充電可能な構成としてもよく、例えば操作盤５０の電源から無線又は有線により給電されて充電してもよい。
【００２０】
残量計測部１３４は、制御部１１２からの指示信号が入力されると、電源１３２の電源残量を計測して、計測した電源残量値を制御部１１２に出力する。
【００２１】
サムターン１１６は、ユーザ１２によって把持されて回転操作されることで、回転方向を示す電気信号を制御部１１２に出力する。
【００２２】
シリンダ１１８は、キー装置３０のキー部分３２が差し込まれる鍵穴を有する。図２には、キー装置３０のキー部分３２が、図中に白抜きの直線状矢印で示された方向に沿ったユーザ１２による操作によって、シリンダ１１８の鍵穴に差し込まれた状態が示されている。また、図２には、キー装置３０のキー部分３２に隣接して設けられている移動体３３が、当該操作によって、図中に上記矢印よりも小さな白抜きの直線状矢印で示された方向に沿って、キー装置３０の内部に押し込まれた状態が示されている。
【００２３】
シリンダ１１８は、ユーザ１２によって差し込まれたキー部分３２の形状が鍵穴の内部形状と合致する場合に、ユーザ１２によるキー装置３０の回転操作に伴って、キー装置３０と共に回転し、回転方向を示す電気信号を制御部１１２に出力する。なお、サムターン１１６およびシリンダ１１８は、それぞれに対する上記の操作以外の方法で上側電気錠１１０が施解錠されると、上側電気錠１１０の施解錠に連動して対応する方向に自動で回転する。
【００２４】
デッドボルト１２０は、扉２０が閉じられた状態で扉２０の側面から突き出た場合に、扉２０の周囲を囲うように住居１５に設けられた枠に埋設されているストライクの開口と係合する。デッドボルト１２０には、デッドボルト１２０と共にストライクの開口と係合することにより扉２０の施錠状態を強固に固定するための鎌や、デッドボルト１２０自体や鎌などを可動させるための複数のカムや軸受などの駆動機構が含まれてもよい。
【００２５】
位置検出部１３８は、光学式、電気式、磁気式などの任意のセンサ、例えば光電センサ、静電容量センサ、ホール素子などであり、デッドボルト１２０の進退方向における位置を検出し、検出したデッドボルト１２０の位置情報を制御部１１２に出力する。位置情報には、デッドボルト１２０が施錠位置にあることを示す施錠情報、および、デッドボルト１２０が解錠位置にあることを示す解錠情報が含まれる。施錠位置とは、デッドボルト１２０が扉２０の側面から予め定められた量以上出ている位置である。解錠位置とは、デッドボルト１２０が上記施錠位置にないときの位置であり、扉２０の側面の内側に退避している位置を含む。
【００２６】
上記の位置情報は、上側電気錠１１０が施錠されているか解錠されているかを示す情報である施解錠情報の一例である。また、位置検出部１３８は、上側電気錠１１０の施解錠の状態を検知する錠検知部の一例である。錠検知部は、例えばシリンダ１１８の回転から上側電気錠１１０の施解錠の状態を推定する場合のように、間接的に上側電気錠１１０の施解錠の状態を検知するのではなく、例えばデッドボルト１２０が解錠位置にあるか施錠位置にあるかを検出する場合のように、直接的に上側電気錠１１０の施解錠の状態を検知する。
【００２７】
開閉検出部１４０は、位置検出部１３８と同様に、光学式、電気式、磁気式などの任意のセンサ、例えば光電センサ、静電容量センサ、ホール素子などであり、扉２０の開閉状態を検出し、検出した扉２０の開閉情報を制御部１１２に出力する。扉２０の開閉情報には、扉２０が開扉していることを示す開扉情報、および、扉２０が閉扉していることを示す閉扉情報が含まれる。
【００２８】
通信部１１３は、例えばＢＬＥを用いて、キー装置３０と無線通信する。通信部１１３は追加的に、操作盤５０や、ユーザ１２によって携帯される認証端末などと無線通信してもよい。なお、通信部１１３は、追加的に又は代替的に、扉２０の内側１７の面上に設けられた内筐体１２４の内部に配置されてもよい。
【００２９】
格納部１３６は、フラッシュメモリ等の不揮発性メモリを含む。格納部１３６には予め、制御部１１２によって使用される制御プログラムと、上側電気錠１１０のＩＤが格納されている。格納部１３６には、上記の位置情報が格納される。格納部１３６には更に、上記の開閉情報などが格納されてもよい。格納部１３６には予め、複数の認証端末に対応する登録ＩＤや、残量計測部１３４によって計測される電源残量との比較に用いられる予め定められた閾値などが格納されていてもよい。
【００３０】
制御部１１２は、ＣＰＵ等から構成され、格納部１３６に予め格納された制御プログラムを読み込むことによって、上側電気錠１１０の各構成を制御するための複数の処理を実行する。また、制御プログラムは、可搬メディアを介してインストールされてもよく、インターネット等からダウンロードされてインストールされてもよい。
【００３１】
制御部１１２は、サムターン１１６およびシリンダ１１８の何れかから回転方向を示す電気信号を入力されると、アクチュエータ１２８を駆動して、デッドボルト１２０を一方向に進退させることで、扉２０を施解錠する。
【００３２】
制御部１１２は、位置検出部１３８からデッドボルト１２０の位置情報が入力されると、タイマ１３３を参照し、位置情報と、当該位置情報が入力された時刻の時間情報とを格納部１３６に格納する。格納部１３６に格納されている位置情報および時間情報は、制御部１１２によって新たな位置情報および時間情報が格納される度に更新される。
【００３３】
制御部１１２は、通信部１１３を介してキー装置３０から上記の施解錠情報を要求する要求信号を受信すると、格納部１３６を参照し、施解錠情報に含まれるデッドボルト１２０の位置情報を、時間情報および上側電気錠１１０のＩＤと共に、通信部１１３からキー装置３０に送信する。なお、通信部１１３は、送受信部の一例である。制御部１１２は追加的に、当該位置情報および時間情報を上側電気錠１１０のＩＤと共に、通信部１１３から操作盤５０に送信してもよい。
【００３４】
制御部１１２は、開閉検出部１４０から扉２０の開閉情報が入力されると、開閉情報を格納部１３６に格納してもよく、通信部１１３から操作盤５０や認証端末などに送信してもよい。
【００３５】
制御部１１２は、残量計測部１３４から電源１３２における電源残量値が入力されると、格納部１３６に格納してもよく、通信部１１３から操作盤５０や認証端末などに送信してもよい。制御部１１２は、残量計測部１３４から入力された電源残量値が、格納部１３６に格納されている予め定められた閾値を下回っているか否かを判断してもよく、更に、閾値を下回っている場合に、特定の音声信号を音声出力部１３０に出力して、音声信号に基づく特定の音声を発声させてもよい。これにより、例えば電源１３２の交換、又は、電源１３２への給電の必要性をユーザ１２に知らせることができる。
【００３６】
図３は、住居１５の扉２０に設けられた下側電気錠１５０の模式図である。図２は、図１において破線で示された円Ｂの部分を拡大した図に対応する。
【００３７】
下側電気錠１５０は、上側電気錠１１０の各構成と同じ構成を有し、図３に示される通り、各構成の配置も上側電気錠１１０の各構成の配置と同じである。下側電気錠１５０は、制御部１５２、通信部１５３、サムターン１５６、シリンダ１５８、デッドボルト１６０、内筐体１６４、外筐体１６６およびアクチュエータ１６８を備える。下側電気錠１５０は更に、音声出力部１７０、電源１７２、タイマ１７３、残量計測部１７４、格納部１７６、位置検出部１７８および開閉検出部１８０を備える。下側電気錠１５０の各構成の機能は、上側電気錠１１０の対応する構成の機能と同じなので、重複する説明を省略する。
【００３８】
図４は、キー装置３０の模式図である。キー装置３０は、本体部分３１と、本体部分３１の内部にキーヘッド側の一部が収容された鍵のうち、本体部分３１から露出している残りの部分である、上記のキー部分３２とを備える。キー装置３０は更に、本体部分３１の内部に設けられた、例えばバネなどの付勢部材によって、一部が本体部分３１から外部に突き出るように付勢されている移動体３３を備える。移動体３３の残りの部分は、本体部分３１の内部に収容され、上記の付勢部材の付勢力により移動体３３が本体部分３１から完全に出てしまわないように構成される。また、当該残りの部分は、移動体３３の上記一部が、図中に白抜きの矢印で示された方向に沿う外力によって本体部分３１の内部に完全に押し込まれても、当該外力が無くなると再び当該方向に沿って本体部分３１の外部に突き出るように構成される。
【００３９】
キー装置３０は更に、本体部分３１の外表面に設けられる表示部３５と、当該外表面に設けられるボタン３４とを備える。表示部３５は、上側電気錠１１０の施解錠情報を表示する上側表示部３６と、下側電気錠１５０の施解錠情報を表示する下側表示部３７とを含む。ボタン３４は、ユーザ１２によって押下されることで、表示部３５による表示のＯＮ／ＯＦＦを切り替える。表示のＯＮ／ＯＦＦの切り替えは、上側表示部３６と下側表示部３７とで同時に行われてもよく、ボタン３４の押下回数に応じて、上側表示部３６と下側表示部３７とが順に行われてもよい。ボタン３４は、ユーザ１２によって押下されることで、表示部３５による表示コンテンツを切り替えてもよい。
【００４０】
図５は、キー装置３０のブロック図である。キー装置３０は、無線通信によって上側電気錠１１０および下側電気錠１５０との間で情報を送受信する送受信部３９と、キー装置３０による上側電気錠１１０および下側電気錠１５０に対する操作を検知する検知部３８とを備える。
【００４１】
本実施形態における当該操作は、キー装置３０のキー部分３２をシリンダ１１８およびシリンダ１５８の各鍵穴から引き出すことである。検知部３８は、図２に示されるように、キー装置３０のキー部分３２をシリンダ１１８およびシリンダ１５８の各鍵穴に差し込むこと、および、各鍵穴から引き出すことにより、図中の矢印の方向に沿って移動する、前述の移動体３３を有する。検知部３８は、移動体３３の当該移動を検知することによって、上記の操作を検知する。
【００４２】
検知部３８は、移動体３３が本体部分３１の外部からの外力を受けて本体部分３１の内部に押し込まれたことを検知する。検知部３８はまた、移動体３３が当該外力を受けなくなり、本体部分３１から露出して、当該外力を受ける前の位置に戻ったことも検知する。検知部３８は、これらを順に検知することにより、キー装置３０による上側電気錠１１０に対する上記の操作を検知する。換言すると、検知部３８は、移動体３３が本体部分３１の外部からの外力を受けて本体部分３１の内部に押し込まれている状態から当該外力を受けていない状態となり、キー装置３０の本体部分３１の内部に設けられている付勢部材による付勢力によって、本体部分３１から露出している元の位置に戻ったことを検知することによって、上記の操作を検知する。検知部３８は、移動体３３の各方向の移動を検知すると、各方向に移動したことを示す信号を情報要求部４０に出力する。
【００４３】
キー装置３０は更に、情報要求部４０を備える。情報要求部４０は、検知部３８が上記の操作を検知したことを条件に、すなわち、検知部３８から上記の操作を検知したことを示す信号を入力されると、上側電気錠１１０および下側電気錠１５０のそれぞれに対して、上記の施解錠情報を要求する要求情報を、送受信部３９を介して送信する。
【００４４】
本実施形態においては、キー装置３０は、上側電気錠１１０および下側電気錠１５０とＢＬＥ通信する。この場合、キー装置３０と、上側電気錠１１０および下側電気錠１５０のそれぞれとは、互いにＢＬＥ通信を確立できるよう、例えばユーザ１２が住居１５に入居したときにペアリングされる。本実施形態における情報要求部４０は、検知部３８が上記の操作を検知したことを条件に、上側電気錠１１０および下側電気錠１５０に対してＢＬＥ通信の確立を試み、ＢＬＥ通信の電波強度が大きい方、すなわち、距離がより近い方に対して、上記の要求情報を送信する。図２に示す状態においては、キー装置３０は下側電気錠１５０よりも上側電気錠１１０に近いので、上側電気錠１１０とのＢＬＥ通信の電波強度が大きい。
【００４５】
キー装置３０は更に、時間を計時するタイマ４３を備える。情報要求部４０は、タイマ４３を参照し、ＢＬＥ通信の通信強度が大きい方に対して、上記の要求情報を送信してから、予め定められた時間、例えば１ミリ秒が経過するまでに施解錠情報を受信してない場合に、再び要求情報を送信する。
【００４６】
キー装置３０は更に、送受信部３９を介して上側電気錠１１０および下側電気錠１５０から受信した施解錠情報を格納する格納部４１を備える。格納部４１は、予めテーブル４２を格納しており、上側電気錠１１０の施解錠情報を入力されると、テーブル４２の上側電気錠１１０用のスペースに当該施解錠情報を格納する。格納部４１はまた、下側電気錠１５０の施解錠情報を入力されると、テーブル４２の下側電気錠１５０用のスペースに当該施解錠情報を格納する。
【００４７】
情報要求部４０は、送受信部３９を介して上側電気錠１１０および下側電気錠１５０から施解錠情報を受信すると、格納部４１のテーブル４２に格納する。情報要求部４０は、送受信部３９を介して新たな施解錠情報を受信すると、格納部４１のテーブル４２に格納されている施解錠情報を更新する。換言すると、格納部４１は、送受信部３９が施解錠情報を受信する度に、格納してある施解錠情報を更新する。
【００４８】
情報要求部４０は、ユーザ１２がボタン３４を押下したことを示す信号をボタン３４から入力されると、格納部４１のテーブル４２を参照し、上側電気錠１１０の施解錠情報を上側表示部３６に表示させ、下側電気錠１５０の施解錠情報を下側表示部３７に表示させる。
【００４９】
図６は、キー装置３０が上側電気錠１１０から施解錠情報を取得するフロー図である。当該フローの動作の主体は情報要求部４０であるので、主体の説明を省略する。各実施形態における以降のフロー図の説明においては、特に断わらない限りにおいて、上側電気錠１１０および下側電気錠１５０のそれぞれと施解錠情報を取得するフローは同じであるので、下側電気錠１５０の施解錠情報を取得するフローの説明を省略する。
【００５０】
当該フローが開始すると、検知部３８から、移動体３３が本体部分３１の内部に押し込まれたことを示す信号を入力されたか否かを判断し（ステップＳ１０１）、当該信号が入力されていない場合（ステップＳ１０１：ＮＯ）、ステップＳ１０１を繰り返す。
【００５１】
検知部３８から当該信号を入力されている場合（ステップＳ１０１：ＹＥＳ）、上側電気錠１１０との間でＢＬＥ通信を確立し（ステップＳ１０３）、Ｒｅａｄｙ状態になる。
【００５２】
ステップＳ１０３に続けて、検知部３８から、移動体３３が本体部分３１から露出している元の位置に戻ったことを示す信号を入力されたか否かを判断し（ステップＳ１０５）、当該信号が入力されていない場合（ステップＳ１０５：ＮＯ）、ステップＳ１０５を繰り返す。
【００５３】
検知部３８から当該信号を入力されている場合（ステップＳ１０５：ＹＥＳ）、上側電気錠１１０に要求情報を送信する（ステップＳ１０７）。ステップＳ１０７に続けて、送受信部３９を介して上側電気錠１１０から施解錠情報を受信したか否かを判断し（ステップＳ１０９）、施解錠情報を受信していない場合（ステップＳ１０９：ＮＯ）、タイマ４３を参照して１ミリ秒待った後に（ステップＳ１１１）、ステップＳ１０７に戻る。
【００５４】
ステップＳ１０９において、施解錠情報としてのデッドボルト１２０の位置情報を、時間情報および上側電気錠１１０のＩＤと共に受信した場合（ステップＳ１０９：ＹＥＳ）、施解錠情報を格納部４１のテーブル４２の上側電気錠１１０用のスペースに格納して（ステップＳ１１３）、当該フローが終了する。なお、当該フローは、錠装置１００およびキー装置３０の電源がＯＮである限りにおいて繰り返す。なお、キー装置３０は、図５に示される通り、電源４４を備え、電源４４は、電源１３２と同様にリチウム電池などの交換式の電源であってもよく、外部から給電可能な電源であってもよい。
【００５５】
以上、図１から図６に示す第１実施形態のシステム１０によれば、錠装置１００の施解錠状態を検知する錠検知部として位置検出部１３８を備える。位置検出部１３８は、上述の通り、例えばシリンダ１１８の回転から上側電気錠１１０の施解錠の状態を推定する場合のように、間接的に上側電気錠１１０の施解錠の状態を検知するのではなく、デッドボルト１２０が解錠位置にあるか施錠位置にあるかを検出する。すなわち、位置検出部１３８などの錠検知部は、直接的に上側電気錠１１０の施解錠の状態を検知する。そして、キー装置３０は、そのような錠検知部による直接的な施解錠情報を取得し、格納部４１のテーブル４２に格納し、ユーザ１２によるボタン３４の操作によって、表示部３５に表示する。よって、キー装置３０の表示部３５における錠装置１００の施解錠状態の表示が誤ったものとなる虞を排除できる。
【００５６】
また、防犯上の理由等により、上側電気錠１１０の施解錠の回転方向と、下側電気錠１５０の施解錠の回転方向とが異なる場合がある。この場合であっても、本実施形態によれば、施解錠の回転方向によらず施解錠の状態を直接的に検出するので、キー装置３０の表示部３５における錠装置１００の施解錠状態の表示が誤ったものとなる虞を排除できる。
【００５７】
更に、キー装置３０の格納部４１のテーブル４２は、上側電気錠１１０および下側電気錠１５０のそれぞれに対応して各電気錠の施解錠状態を個別に格納するスペースを有し、これに対応して、キー装置３０の表示部３５は、上側電気錠１１０の施解錠状態を表示する上側表示部３６と、下側電気錠１５０の施解錠状態を表示する下側表示部３７とを有する。これにより、キー装置３０は、錠装置１００のような２ロックタイプの電気錠にも対応でき、例えばユーザ１２が住居１５から外出した後にキー装置３０のボタン３４を操作することにより、両方の電気錠を施錠し忘れたこと、何れか一方の電気錠を施錠し忘れたこと、および、両方の電気錠を施錠したことを、上側表示部３６および下側表示部３７のそれぞれで確認することができる。
【００５８】
なお、本実施形態において、検知部３８が検知する対象である、上側電気錠１１０および下側電気錠１５０に対する操作を、キー装置３０のキー部分３２をシリンダ１１８およびシリンダ１５８の各鍵穴から引き出すこととして説明した。これに代えて、当該操作を、キー装置３０のキー部分３２をシリンダ１１８およびシリンダ１５８の各鍵穴に差し込むこととしてもよい。
【００５９】
この場合において、キー装置３０の情報要求部４０は、検知部３８から、移動体３３が本体部分３１の内部に押し込まれたことを示す信号を入力されると、上側電気錠１１０との間でＢＬＥ通信を確立させて直ぐに、送受信部３９から上側電気錠１１０に要求情報を送信する。情報要求部４０は、要求情報を送信することによって上側電気錠１１０から最初に施解錠情報を受信したら、要求情報の送信を終了し、予め定められた時間、例えば３０秒が経過するまで施解錠情報を受信し続けてもよい。換言すると、上側電気錠１１０は、キー装置３０から要求情報を受信したら、予め定められた時間が経過するまで、予め定められた時間間隔、例えば１秒間隔で施解錠情報をキー装置３０に繰り返し送信し続けてもよい。
【００６０】
この場合において、検知部３８は、キー装置３０のキー部分３２をシリンダ１１８およびシリンダ１５８の各鍵穴から引き出すことを検知しなくてもよい。これに代えて、検知部３８は、キー装置３０のキー部分３２をシリンダ１１８およびシリンダ１５８の各鍵穴から引き出すことを検知してもよい。引き出すことを検知する場合には、この引き出しの検知をトリガとして、直ちに、または、そこから一定時間後に、施解錠情報の送信を終了してもよい。
【００６１】
なお、本実施形態において、表示部３５は、上側電気錠１１０の施解錠情報を表示する上側表示部３６と、下側電気錠１５０の施解錠情報を表示する下側表示部３７とを含むものとして説明した。これに代えて、表示部３５は、単一の表示画面のみを有し、単一の表示画面上で、上側電気錠１１０および下側電気錠１５０の各施解錠情報の表示を、ボタン３４の押下によって切り替えられるようにしてもよい。また、単一の表示画面上で、各施解錠情報を並列して表示してもよい。
【００６２】
図７および図８は、第２実施形態によるシステム１０を示す。第２実施形態によるシステム１０は、第１実施形態によるシステム１０の各構成と比較すると、キー装置３０が検知部３８、移動体３３および情報要求部４０を備えることに代えて、上側電気錠１１０が、シリンダ１１８に配された操作検知部１１５を備え、下側電気錠１５０が同様に、シリンダ１５８に配された操作検知部１５５を備える点を除いては同じであるので、重複する説明を省略する。
【００６３】
図７は、上側電気錠１１０のシリンダ１１８に配された操作検知部１１５の模式図である。操作検知部１１５は、キー装置３０による、上側電気錠１１０に対する操作を検知する。本実施形態における当該操作も、第１実施形態と同様、キー装置３０のキー部分３２をシリンダ１１８およびシリンダ１５８の各鍵穴から引き出すことである。操作検知部１１５は、図７に示されるように、シリンダ１１８の鍵穴内で上下方向に移動自在に配された移動体１１９を有する。
【００６４】
移動体１１９は、鍵が錠装置に挿入されるときに予め定められた方向へ動作する。より具体的には、移動体１１９は、キー装置３０のキー部分３２をシリンダ１１８の鍵穴に差し込むこと、および、当該鍵穴から引き出すことにより、図中の白抜きの直線状矢印の方向に沿って移動する。移動体１１９は、キー装置３０のキー部分３２がシリンダ１１８の鍵穴に差し込まれていない状態、すなわち、外力を受けていない状態では、自重により、当該鍵穴の内面から突出している。移動体１１９は、キー装置３０のキー部分３２がシリンダ１１８の鍵穴に差し込まれると、キー部分３２によって、当該鍵穴の内面から突出しないように、当該内面に押し込まれる。なお、移動体１１９は、キー部分３２によって直接的に押し込まれてもよく、任意の部材を介して間接的に押し込まれてもよい。
【００６５】
操作検知部１１５は更に、移動体１１９の当該移動、すなわち、図中の矢印の上下方向に沿う昇降を検知する昇降検知部１１７を有する。操作検知部１１５は、昇降検知部１１７の検知結果から、キー装置３０のキー部分３２がシリンダ１１８の鍵穴に差し込まれて、移動体１１９が当該鍵穴の内面に押し込まれたことを検知する。さらに、操作検知部１１５は、昇降検知部１１７の検知結果から、キー部分３２をシリンダ１１８の鍵穴から引き出すことによる降下を検知する。操作検知部１１５は、これらを順に検知することにより、キー装置３０による上側電気錠１１０に対する上記の操作を検知する。操作検知部１１５は、移動体１１９の各方向の移動を検知すると、各方向に移動したことを示す信号を制御部１１２に出力する。
【００６６】
下側電気錠１５０のシリンダ１５８に配される操作検知部１５５は、上側電気錠１１０の操作検知部１１５と同じ構成を有し、図７に示される通り、各構成の配置も操作検知部１１５の各構成の配置と同じである。操作検知部１５５は、移動体１５９と、昇降検知部１５７とを有する。操作検知部１５５の各構成の機能は、操作検知部１１５の対応する構成の機能と同じなので、重複する説明を省略する。
【００６７】
図８は、第２実施形態による、錠装置１００がキー装置３０に施解錠情報を送信するフロー図である。当該フローの動作の主体は制御部１１２であるので、主体の説明を省略する。
【００６８】
当該フローが開始すると、操作検知部１１５から、移動体１１９がシリンダ１１８の鍵穴の内面に押し込まれたことを示す信号を入力されたか否かを判断し（ステップＳ２０１）、当該信号が入力されていない場合（ステップＳ２０１：ＮＯ）、ステップＳ２０１を繰り返す。
【００６９】
操作検知部１１５から当該信号を入力されている場合（ステップＳ２０１：ＹＥＳ）、キー装置３０との間でＢＬＥ通信を確立し（ステップＳ２０３）、Ｒｅａｄｙ状態になる。
【００７０】
ステップＳ２０３に続けて、操作検知部１１５から、移動体１１９がシリンダ１１８の鍵穴の内面から突出している元の位置に戻ったことを示す信号を入力されたか否かを判断し（ステップＳ２０５）、当該信号が入力されていない場合（ステップＳ２０５：ＮＯ）、ステップＳ２０５を繰り返す。
【００７１】
操作検知部１１５から当該信号を入力されている場合（ステップＳ２０５：ＹＥＳ）、通信部１１３を介して、キー装置３０に対し、時刻情報および上側電気錠１１０のＩＤと共に、施解錠情報を予め定められた時間間隔で、例えば１ミリ秒間隔で繰り返し送信し始める（ステップＳ２０７）。ステップＳ２０７に続けて、タイマ１３３を参照して予め定められた時間、例えば３０秒が経過したか否かを判断し（ステップＳ２０９）、３０秒が経過していない場合（ステップＳ２０９：ＮＯ）、タイマ１３３を参照して１ミリ秒待った後に（ステップＳ２１１）、ステップＳ２０７に戻る。
【００７２】
ステップＳ２０９において、３０秒が経過した場合（ステップＳ２０９：ＹＥＳ）、キー装置３０に施解錠情報を送信することを終了して（ステップＳ２１３）、当該フローが終了する。なお、当該フローは、錠装置１００およびキー装置３０の電源がＯＮである限りにおいて繰り返す。
【００７３】
なお、本実施形態において、操作検知部１１５が検知する対象である、キー装置３０による上側電気錠１１０および下側電気錠１５０に対する操作の例として、キー装置３０のキー部分３２をシリンダ１１８およびシリンダ１５８の各鍵穴から引き出すことを説明した。これに代えて、当該操作を、キー装置３０のキー部分３２をシリンダ１１８およびシリンダ１５８の各鍵穴に差し込むこととしてもよい。
【００７４】
この場合において、キー装置３０が上側電気錠１１０から施解錠情報を取得するときは、制御部１１２は、操作検知部１１５から、移動体１１９がシリンダ１１８の鍵穴の内面に押し込まれたことを示す信号を入力されると、キー装置３０との間でＢＬＥ通信を確立させて直ぐに、上側電気錠１１０の施解錠情報などをキー装置３０に送信することを開始する。なお、この場合において、操作検知部１１５は、キー装置３０のキー部分３２をシリンダ１１８およびシリンダ１５８の各鍵穴から引き出すことを検知しなくてもよいし、これを検知して施解錠情報の送信を終了するトリガに用いてもよいことは第１実施形態と同様である。
【００７５】
なお、本実施形態における通信部１１３は、操作検知部１１５が上記の操作を検知したことを条件に、錠検知部の一例である位置検出部１３８により検出された、施解錠情報に含まれるデッドボルト１２０の位置情報をキー装置３０に送信する送信部の一例である。
【００７６】
なお、本実施形態において、移動体１１９は、代替的に又は追加的に、鍵が錠装置に挿入され回転するときに錠装置の回転に連動して予め定められた方向に動作する部材を含んでもよい。より具体的には、移動体１１９は、シリンダ１１８に設けられず、キー装置３０のキー部分３２がシリンダ１１８の鍵穴に差し込まれて回転すると、シリンダ１１８の回転に連動して、予め定められた方向に動作する部材を含んでもよい。
【００７７】
上記第１および第２実施形態において、上側電気錠１１０および下側電気錠１５０に対する操作は、キー装置３０のキー部分３２をシリンダ１１８およびシリンダ１５８の各鍵穴から引き出すことであった。さらに、その変形例として当該操作は、各鍵穴にキー部分３２が差し込まれたことでよいことを説明した。
【００７８】
しかしながら、上側電気錠１１０および下側電気錠１５０に対する操作の例はこれに限られず、ユーザ１２が上側電気錠１１０および下側電気錠１５０に対して施解錠動作をしようとする意図を反映させたものであれば、他の操作であってもよい。その観点から、ユーザ１２が施解錠動作をするのに伴って、または、当該動作の前もしくは後に行う蓋然性が高い操作であることが好ましい。
【００７９】
例えば、上記第１および第２実施例およびその変形例はいずれも、当該操作は、施解錠そのものすなわちデッドボルト１２０の位置の変化とは別個の操作である。これに対し、当該操作を施解錠そのものとしてもよい。
【００８０】
図９は、第３実施形態によるシステム１０において、上側電気錠１１０がキー装置３０に施解錠情報を送信するフロー図である。当該フローのステップＳ２０７以降のステップは、図８に示したフローと同一であるので、重複する説明は省略する。
【００８１】
第３実施形態によるシステム１０は、上側電気錠１１０および下側電気錠１５０に対する操作を、施解錠そのものとした例である。第３実施形態によるシステム１０は、第２実施形態によるシステム１０の各構成と比較すると、上側電気錠１１０が、シリンダ１１８に配された操作検知部１１５を備えることに代えて、当該操作検知部１１５の機能を、デッドボルト１２０の位置を検出する位置検出部１３８が有する点、および、下側電気錠１５０においても同様に操作検知部１５５の機能を位置検出部１７８が有する点を除いては同じであるので、重複する説明を省略する。また、当該フローの動作の主体は制御部１１２であるので、主体の説明を省略する。
【００８２】
本実施形態における位置検出部１３８は、キー装置３０による、上側電気錠１１０に対する操作を検知する。本実施形態における当該操作は、キー装置３０のキー部分３２をシリンダ１１８およびシリンダ１５８の各鍵穴に挿入した状態で回転した結果として、デッドボルト１２０が施錠位置から解錠位置に又は解錠位置から施錠位置に移動したことである。
【００８３】
当該フローが開始すると、位置検出部１３８から、施解錠情報に含まれるデッドボルト１２０の位置情報を入力されたか否かを判断し（ステップＳ３０１）、位置情報が入力されていない場合（ステップＳ３０１：ＮＯ）、ステップＳ３０１を繰り返す。
【００８４】
位置検出部１３８から位置情報を入力されている場合（ステップＳ３０１：ＹＥＳ）、キー装置３０との間でＢＬＥ通信を確立し（ステップＳ３０３）、ステップＳ２０７に進む、すなわち、キー装置３０に対し、時刻情報および上側電気錠１１０のＩＤと共に、施解錠情報を予め定められた時間間隔で、例えば１ミリ秒間隔で繰り返し送信し始める。
【００８５】
図１０は、第４実施形態によるシステム１０における、錠装置１００の格納部１３６およびキー装置３０の格納部４１のそれぞれに格納されているテーブルを説明する図である。第４実施形態によるシステム１０は、第１実施形態から第３実施形態によるシステム１０の各構成と比較すると、上側電気錠１１０と下側電気錠１５０とが互いに電気的に接続されておらず、互いに通信しない構成に代えて、上側電気錠１１０と下側電気錠１５０とが互いに電気的に接続されて互いに有線通信する点、および、上側電気錠１１０および下側電気錠１５０が共通する格納部、通信部、および制御部を備える点を除いては同じであるので、重複する説明を省略する。
【００８６】
本実施形態において、共通する制御部は、各電気錠の施解錠状態が変化したと判断したら、変化した施解錠状態の情報を共通の格納部に格納し、例えばキー装置３０から要求情報を受信したら、各電気錠のＩＤおよび時間情報と共に、各電気錠の施解錠情報をキー装置３０に送信する。この場合、図１０に示されるように、共通する格納部に格納する各電気錠の施解錠状態を示す信号は、両電気錠の施解錠状態をまとめて表現する、Ａ〜Ｄで表される。
【００８７】
図１０を参照すると、テーブルには、各列の項目名の行を除いて、３列×４行のマスが設けられている。各列の項目名は、列の左側から順に、「信号」、「上側電気錠１１０  施解錠状態」および「下側電気錠１５０  施解錠状態」である。「信号」として、テーブルの１行目から順に、Ａ、Ｂ、ＣおよびＤが格納されている。信号がＡの行には、「上側電気錠１１０  施解錠状態」および「下側電気錠１５０  施解錠状態」の両方に「施錠」が設定されている。また、信号がＢの行には、「上側電気錠１１０  施解錠状態」に「施錠」が設定され、「下側電気錠１５０  施解錠状態」に「解錠」が設定されている。また、信号がＣの行には、「上側電気錠１１０  施解錠状態」に「解錠」が設定され、「下側電気錠１５０  施解錠状態」に「施錠」が設定されている。また、信号がＤの行には、「上側電気錠１１０  施解錠状態」および「下側電気錠１５０  施解錠状態」の両方に「解錠」が設定されている。
【００８８】
なお、本実施形態において、キー装置３０の格納部４１においても、図１０のテーブルに対応するテーブルが格納されており、例えば情報要求部４０は、送受信部３９を介して錠装置１００から信号Ａ〜Ｄを受信すると、格納部４１を参照して、表示部３５に各電気錠の施解錠状態を表示させる。
【００８９】
上記いずれの実施形態においても、電気錠は、シリンダおよびサムターンの回転運動を電気的に伝達するものとして説明したが、これに代えて、電気錠は、シリンダおよびサムターンの回転運動を機械的に伝達してもよい。より具体的には、電気錠の内部に例えばラック・アンド・ピニオンが設けられ、シリンダおよびサムターンの回転運動が、デッドボルトを一方向に進退させるための直線運動に変換されて、デッドボルトへと伝達されてもよい。この場合、シリンダおよびサムターンは、制御部に電気的に有線接続されなくてもよい。なお、シリンダおよびサムターンは、回転運動が電気的に伝達されるか機械的に伝達されるかに拘わらず、他の方法で電気錠が施解錠されると、電気錠の施解錠に連動して対応する方向に自動で回転する。
【００９０】
上記いずれの実施形態においても、操作検知部は、シリンダに設けられ、シリンダの内筒の回転を検知することで錠装置に対するキー装置の操作を検知してもよい。また、操作検知部は、シリンダに設けられ、鍵を挿入したら鍵の表面に形成された電極と内筒内面に形成された電極とが通電したことを検知することで錠装置に対するキー装置の操作を検知してもよい。これに代えて、操作検知部としてキー装置のヘッド部分に接触センサを設け、ヘッド部分がユーザ１２に接触されたことをもって、錠装置に対する操作を検知してもよい。
【００９１】
上記いずれの実施形態においても、錠検知部は、扉の枠に埋設されるストライク内に設けられ、デッドボルトのストライク内への進退を検知することにより、または、デッドボルトのストライク内面への接触を検知することにより、施解錠を検知してもよい。
【００９２】
以上の複数の実施形態において、錠検知部は、サムターンの回転を検知することで施解錠を検知してもよい。サムターンは、シリンダと違って回転方向を外部から視認可能なので、扉への錠装置の組み込み段階において、回転方向がデッドボルトの進退と同じになるように設定可能である。錠検知部は、サムターンの主面方向を検出可能な光センサであって、各電気錠の内筐体の表面において、サムターンに隣接して設けられてもよい。この場合、錠検知部を既存の電気錠に対して外付けできるので、汎用性が向上する。
【００９３】
以上の複数の実施形態において、キー装置は、扉のシリンダからキー部分を引き抜く操作を行ったのを検知部が検知したことを条件として、閉開扉情報を取得してもよい。回転操作を行ったときに扉と枠との間に何かが挟まっていて、扉が閉まっていると思っても開いている可能性がある。例えば、住居から外出したユーザは、外出するときに扉のシリンダの鍵穴に鍵を挿入して回転操作を行ったことを覚えているが、回転操作を行ったときに扉がちゃんと閉まっていたかどうかを覚えていない場合がある。当該キー装置によれば、住居から外出したユーザは、上記の回転操作を行ったときに扉がちゃんと閉まっていたかどうかを覚えていなくても、回転操作を行ったときに扉がちゃんと閉まっていて適切に施錠できたか否かを、開閉扉情報をキー装置の表示部に表示させることによって知ることができる。
【００９４】
以上の複数の実施形態において、キー装置の検知部は、代替的に、キー装置の本体部分からキー部分の側に向かってレーザや赤外線などを射出し、キー装置と錠装置との間の距離を測距することで、錠装置からキー装置を引き出す操作や、錠装置にキー装置を差し込む操作を検知してもよく、また、錠装置に対する操作を検知可能な任意のセンサを用いてもよい。
【００９５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９７】
１０  システム、１２  ユーザ、１５  住居、１６  外側、１７  内側、２０  扉、２２  ハンドル、３０  キー装置、３１  本体部分、３２  キー部分、３３  移動体、３４  ボタン、３５  表示部、３６  上側表示部、３７  下側表示部、３８  検知部、３９  送受信部、４０  情報要求部、４１  格納部、４２  テーブル、４３  タイマ、５０  操作盤、１００  錠装置、１１０  電気錠、１１２、１５２  制御部、１１３、１５３  通信部、１１５、１５５  操作検知部、１１６、１５６  サムターン、１１７、１５７  昇降検知部、１１８、１５８  シリンダ、１１９、１５９  移動体、１２０、１６０  デッドボルト、１２４、１６４  内筐体、１２６、１６６  外筐体、１２８、１６８  アクチュエータ、１３０、１７０  音声出力部、１３２、１７２  電源、１３３、１７３  タイマ、１３４、１７４  残量計測部、１３６、１７６  格納部、１３８、１７８  位置検出部、１４０、１８０  開閉検出部、１５０  下側電気錠
【図１】
2019206890.tif 000003
【図２】
2019206890.tif 000004
【図３】
2019206890.tif 000005
【図４】
2019206890.tif 000006
【図５】
2019206890.tif 000007
【図６】
2019206890.tif 000008
【図７】
2019206890.tif 000009
【図８】
2019206890.tif 000010
【図９】
2019206890.tif 000011
【図１０】
2019206890.tif 000012